(57)【要約】      （修正有）【課題】冷蔵庫の貯蔵室に、密閉可能な収納室を簡単に形成できる冷蔵庫を提供する。【解決手段】冷蔵庫のキャビネットにある野菜室１６と、前記野菜室１６の上方に設けられた冷蔵室１４とを上下に仕切る仕切り体２６を有し、前記仕切り体２６に収納保持体３４を吊り下げ、この収納保持体３４にある左右一対の固定レール５６，５６に減酸素室３０をスライドさせて固定する。【選択図】図６
2014081158.tif 000002
【特許請求の範囲】
【請求項１】
冷蔵庫のキャビネットにある貯蔵室と、
前記貯蔵室内部に設けられたスライド部材と、
前記スライド部材を用いて前方からスライドさせて、前記貯蔵室内部に取り付けられる収納室と、
を有する冷蔵庫。
【請求項２】
前記収納室を固定するための収納保持体が前記貯蔵室内部に設けられ、
前記スライド部材は、前記収納保持体に前後方向に設けられたレールであって、前記レールによって前記収納室が保持されている、
請求項１に記載の冷蔵庫。
【請求項３】
前記キャビネットは、前記貯蔵室の上方に設けられた他の貯蔵室と、前記貯蔵室と前記他の貯蔵室とを上下に仕切る仕切り体とを有し、
前記収納保持体は、前記仕切り体に吊り下げられている、
請求項２に記載の冷蔵庫。
【請求項４】
前記収納保持体は、前記収納室の少なくとも左右どちらか一方を保持する、
請求項２乃至３のいずれか一項に記載の冷蔵庫。
【請求項５】
前記収納室は前記収納保持体の下方に配され、
前記収納保持体は、前記収納室の両側面を掴むように吊り下げている、
請求項２乃至４のいずれか一項に記載の冷蔵庫。
【請求項６】
前記レールは、前記収納保持体に設けられた固定レールと、前記収納室に設けられた可動レールとより構成され、
前記固定レールは、前記収納保持体の前後方向に左右一対設けられた突条の上レール片と下レール片とより構成され、
前記可動レールは、前記収納室の両側面に前後方向に左右一対に突条に設けられ、前記各固定レールの上レール片と下レール片の間をスライドする、
請求項２乃至５のいずれか一項に記載の冷蔵庫。
【請求項７】
前記各可動レールの前部の高さ寸法が、後部の高さ寸法より大きい、
請求項６に記載の冷蔵庫。
【請求項８】
前記各固定レールの前部における前記上レール片と前記下レール片の間隔が、後部における前記上レール片と前記下レール片の間隔より大きい、
請求項６又は７に記載の冷蔵庫。
【請求項９】
前記収納保持体の背面に凹部又は開口部が形成され、
前記収納室の後部から、前記凹部又は開口部と嵌合する突部が後方に突出している、
請求項２乃至８のいずれか一項に記載の冷蔵庫。
【請求項１０】
前記収納室と前記収納保持体とを固定する固定手段を有する、
請求項２乃至９のいずれか一項に記載の冷蔵庫。
【請求項１１】
前記固定手段が、ネジによるネジ止めである、
請求項１０に記載の冷蔵庫。
【請求項１２】
前記ネジのネジ孔が、前記収納室にある突条の前記可動レールに設けられている、
請求項１１に記載の冷蔵庫。
【請求項１３】
前記収納保持体が前記貯蔵室の左右どちらか一方に片寄った位置に設けられて、前記収納保持体とは左右反対側の位置に空間が形成され、
前記ネジ止めが、前記空間に面した前記収納室の側面と前記収納保持体の側面との間で行う、
請求項１１又は１２に記載の冷蔵庫。
【請求項１４】
前記収納室の前面は開口していると共に、前記収納室内部には引き出し式の収納容器が収納され、
前記収納容器の前部には扉が設けられている、
請求項１乃至１３のいずれか一項に記載の冷蔵庫。
【請求項１５】
前記収納室は密閉されている、
請求項１乃至１４のいずれか一項に記載の冷蔵庫。
【請求項１６】
前記収納室が、減酸素室であり、
前記収納室内部の酸素を減らす減酸素装置が設けられている。
請求項１５に記載の冷蔵庫。
【請求項１７】
前記収納保持体に前記減酸素装置が設けられ、
前記収納保持体に前記収納室をスライドさせて取り付けると、前記減酸素装置も前記収納室に取り付けられる、
請求項１６に記載の冷蔵庫。
【請求項１８】
前記減酸素装置が、高分子電解質膜方法を用いたものである、
請求項１６又は１７に記載の冷蔵庫。
【請求項１９】
前記収納室の一方の側面が前記収納保持体に保持され、他方の側面が前記貯蔵室の内側壁に保持されている、
請求項４に記載の冷蔵庫。
【請求項２０】
前記収納室の一方の側面が前記貯蔵室の一方の内側壁に保持され、他方の側面が前記貯蔵室の他方の内側壁に保持されている、
請求項４に記載の冷蔵庫。
【発明の詳細な説明】
【技術分野】
【０００１】
本発明の実施形態は、冷蔵庫に関するものである。
【背景技術】
【０００２】
従来より、ＣＡ（Ｃｏｎｔｒｏｌｌｅｄ  Ａｔｍｏｓｐｈｅｒｅ）貯蔵方法には、高分子電解質膜を用いて酸素を減少させる高分子電解質方法や、真空ポンプにより酸素を減少させる方法などがある。
【先行技術文献】
【特許文献】
【０００３】
【特許文献１】特開平９−１９６２１号公報
【発明の概要】
【発明が解決しようとする課題】
【０００４】
上記のようなＣＡ貯蔵方法を実現するためには、特別な収納室が必要であり、より好ましくはその収納室が密閉された空間になることである。しかし、冷蔵庫内部にそのような収納室を設けることは、設計上非常に手間が掛かると共に、組み付け作業においても工程数が増えるという問題点があった。
【０００５】
そこで、本発明の実施形態は、冷蔵庫の貯蔵室に、簡単に収納室を形成できる冷蔵庫を提供することを目的とする。
【課題を解決するための手段】
【０００６】
本実施形態は、冷蔵庫のキャビネットにある貯蔵室と、前記貯蔵室内部に設けられたスライド部材と、前記スライド部材を用いて前方からスライドさせて、前記貯蔵室内部に取り付けられる収納室と、を有する冷蔵庫である。
【図面の簡単な説明】
【０００７】
【図１】本実施形態の冷蔵庫の正面図である。
【図２】野菜室の正面図である。
【図３】野菜室の平面図である。
【図４】野菜室に収納保持体を取り付けた状態の側面図である。
【図５】図４におけるＡ−Ａ線断面図である。
【図６】野菜室の収納保持体に減酸素室を取り付けようとしている状態の側面図であるる。
【図７】野菜室の収納保持体に減酸素室を取り付けた状態の側面図である。
【図８】図７におけるＢ−Ｂ線断面図である。
【図９】野菜室内部の減酸素室に減酸素容器を取り付けようとしている状態の側面図である。
【図１０】野菜室の減酸素室に減酸素容器を取り付けた状態の側面図である。
【図１１】減酸素装置の正面図である。
【図１２】減酸素装置を減酸素室に取り付けた状態の縦断面図である。
【図１３】減酸素装置における給水装置の正面から見た縦断面図である。
【図１４】減酸素ユニットの分解斜視図である。
【発明を実施するための形態】
【０００８】
以下、一実施形態の冷蔵庫１０について図１〜図１４に基づいて説明する。本実施形態の冷蔵庫１０は減酸素装置１００を有している。
【０００９】
（１）冷蔵庫１０
冷蔵庫１０について図１に基づいて説明する。図１は、冷蔵庫１０の全体の縦断面図である。
【００１０】
冷蔵庫１０のキャビネット１２は断熱箱体であって、内箱と外箱とより形成され、その間に断熱材が充填されている。このキャビネット１２内部は、上から順番に冷蔵室１４、野菜室１６、小型冷凍室１８及び冷凍室２０を有し、小型冷凍室１８の横には製氷室２２が設けられている。野菜室１６と小型冷凍室１８及び製氷室２２の間には断熱仕切り体２４が設けられている。冷蔵室１４と野菜室１６とは水平な仕切り体２６によって仕切られている。冷蔵室１４の前面には、観音開き式の扉１４ａ，１４ｂが設けられ、野菜室１６、小型冷凍室１８、冷凍室２０及び製氷室２２にはそれぞれ引出し式の扉１６ａ，１８ａ，２０ａ，２２ａが設けられている。
【００１１】
（２）野菜室１６
次に、野菜室１６について、図２及び図３に基づいて説明する。図２は、野菜室１６の正面図であり、図３は野菜室１６の平面図である。
【００１２】
野菜室１６の下部には、扉１６ａと共に前方に引出し可能な野菜容器２８が設けられている。野菜室１６の上部左側には、減酸素室３０が設けられている。この減酸素室３０については後から詳しく説明する。
【００１３】
（３）減酸素室３０
次に、減酸素室３０について、図４〜図１０に基づいて説明する。
【００１４】
減酸素室３０は、図１０に示すように、仕切り体２６の下方に取り付けられた収納保持体３４に吊り下げて固定されている。
【００１５】
減酸素室３０は、直方体を成し、前面が開口している。減酸素室３０内部には、減酸素容器３６が引き出し可能に設けられ、減酸素容器３６の前板も兼ねた扉３８が減酸素室３０の前面開口部を閉塞する。
【００１６】
減酸素容器３６の背面には、減酸素装置１００が取り付けられている。
【００１７】
（３−１）収納保持体３４
まず、収納保持体３４について図４及び図５に基づいて詳しく説明する。
【００１８】
収納保持体３４は水平板４０を有し、水平板４０は、上方に突出した複数の円柱型の吊り下げ具９６によって水平な仕切り体２６に吊り下げられている。吊り下げ具９６は、前後方向に３個、左右方向に３個、計９個設けられており、収納保持体３４を吊り下げ状態で固定できる（図２参照）。水平板４０の両側部から左保持面４２と右保持面４４が下方に延設されている。水平板４０の後端部両側から後保持面４６が下方に延設されている（図５参照）。これら左保持面４２、右保持面４４、後保持面４６の高さ寸法は、直方体の減酸素室３０の高さ寸法の約１／３である。
【００１９】
水平板４０の後端部中央部には、下方に向かって支持板４８が設けられている（図５参照）。支持板４８の高さ寸法は、減酸素容器３６の高さ寸法よりも長く形成され、支持板４８の中央部分には矩形の挿入口５０が開口している。この挿入口５０には、減酸素装置１００が後方から挿入して取り付けられる。
【００２０】
支持板４８の下端からは前方に向かって支持片５２が突出し、その先端に支持爪５４が設けられている（図４参照）。
【００２１】
左保持面４２及び右保持面４４の内面には、前後方向に沿って固定レール５６が設けられている。この固定レール５６は、水平に形成された突条の上レール片５８と下レール片６０とから構成されている。上レール片５８と下レール片６０の前部の間隔は、後部の間隔よりも大きく形成されている。
【００２２】
左右の後保持面４６の上部には、矩形の開口部６２，６２が貫通している（図５参照）。
【００２３】
（３−２）減酸素室３０
次に、減酸素室３０について図６〜図８に基づいて説明する。
【００２４】
減酸素室３０は、上記したように直方体を成し、上面６４、左面６６、右面６８、下面７０、後面７２を有し、前面のみが開口している。上面６４の後端部には左右一対の突部７４，７４が後方に向かって突出している。これら突部７４，７４は、収納保持体３４の後保持面４６の左右一対の開口部６２，６２に嵌合する。
【００２５】
減酸素室３０の左面６６、右面６８には、前後方向に沿って可動レール７６が突条に設けられている。可動レール７６における前部の高さ寸法は、後部の高さ寸法よりも大きく形成されている。可動レール７６は、固定レール５６に係合してスライドさせることにより減酸素室３０が収納保持体３４に固定される。
【００２６】
減酸素室３０の左面６６、右面６８の前部中央部には係止部材７８が設けられている。係止部材７８は、左面６６にネジで固定された本体８０の前部から上下一対の弾性保持片８２が設けられ、この弾性保持片８２の先端部には球形状の固定部８４が設けられている。弾性保持片８２は、本体８０からそれぞれ上下方向に広がるように突出している。
【００２７】
（３−３）減酸素容器３６
次に、減酸素容器３６について図９及び図１０に基づいて説明する。
【００２８】
減酸素容器３６は、箱形であって上面が開口し、その内部に野菜などの食品が収納できる。扉３８の両側部の中央にはそれぞれ後方に突出した係合片８６が設けられている。係合片８６の先端部は矢印型をなし、上記で説明した係止部材７８の上下一対の弾性保持片８２の間に挿入され、矢印型の係合片８６の後方の凹み部８８と係合する。
【００２９】
減酸素室３０の左面６６と右面６８の内側には、水平方向に設けられた第２固定レール９０が設けられている。減酸素容器３６の両側面後部に設けられたローラ９２が、この第２固定レール９０をスライドして、減酸素容器３６が前後方向に引出し可能となる。減酸素室３０の下面７０の後部には前後方向に突出した係止突部９４が設けられている。係止突部９４は、リブを兼ねたものであり、上記で説明した収納保持体３４の支持板４８に設けられた支持爪５４と係合する。
【００３０】
減酸素容器３６の前部にある扉３８は、減酸素室３０の前面の開口部を全て覆う大きさであり、扉３８の後面周囲には、ガスケット３９が設けられ、減酸素室３０の開口した前面縁部にはフランジ部８３が設けられている。そのため、図１０に示すように、扉３８を閉めた場合に、ガスケット３９がこの減酸素室３０のフランジ部８３に当接され、減酸素室３０内部は密閉される。さらに、扉３８には、取っ手８５が前方に突出している。
【００３１】
（４）減酸素装置１００
次に、減酸素装置１００の構造について、図１１〜図１４に基づいて説明する。
【００３２】
減酸素装置１００は、図１１に示すように、高分子電解質膜方法を利用したものであり、断熱性を有する箱型のユニットケース１０２と、給水装置１０４とより構成されている。
【００３３】
箱型のユニットケース１０２は、ほぼ立方体を成し、その内部に減酸素ユニット１０６が収納されている。ユニットケース１０２の前面には、減酸素室３０と繋がるほぼ矩形の開口部１３５が開口し、ユニットケース１０２の後面には、酸素を拡散させる排気口１３７が開口している。また、ユニットケース１０２の前部が、減酸素室３０の支持板４８の挿入口５０に挿入され固定される。
【００３４】
給水装置１０４は、ユニットケース１０２の下方で、かつ、支持板４８の後方に位置する。
【００３５】
（５）減酸素ユニット１０６
減酸素ユニット１０６について、図１２及び図１４に基づいて説明する。図１２は、減酸素装置１００の縦断面図であり、図１４は減酸素ユニット１０６の分解斜視図である。なお、図１２及び図１４において、実際の各部材の厚みは薄いものであるが、説明を判り易くするために、図面ではその厚みを拡大して記載している。
【００３６】
高分子電解質膜（以下、単に「電解質膜」という）１１６が縦方向に設けられ、電解質膜１１６の後部にはアノード層１１８が設けられ、電解質膜１１６の前部にはカソード層１２０が設けられている。電解質膜１１６は、ナフィオンで形成されている。「ナフィオン」は、スルホン化されたテトラフルオロエチレンをもとにしたフッ素樹脂の共重合体であって、イオン電導性を持つポリマーである。そして、ナフィオンは陰イオンや電子は移動せず、陽イオンだけ移動する。カソード層１２０は、カーボン触媒とカーボンペーパーを積層したものである。また、アノード層１１８とカソード層１２０には白金の触媒がそれぞれ担持されている。電解質膜１１６、アノード層１１８及びカソード層１２０がホットプレスなどを用いて一体に接合されている。アノード層１１８の後方にはプラス側の集電体１２２が設けられ、カソード層１２０の前方にはマイナス側の集電体１２４が設けられている。両集電体１２２，１２４は、表面に白金メッキを行なったメッシュ状のチタン膜であり、集電体１２２はアノード層１１８にプラス通電を行い、集電体１２４はカソード層１２０にマイナス通電を行う。両集電体１２２，１２４は電線１６０，１６２から通電される。また、両集電体１２２，１２４が接触しないようにするために、絶縁体１２５が両集電体１２２，１２４の間に設けられている。この絶縁体１２５は額縁状であって、電解質膜１１６とアノード層１１８とカソード層１２０がその内部に収納されている。
【００３７】
プラス側の集電体１２２の後方には、撥水層１２６が設けられている。この撥水層１２６は、額縁状のガスケット１２６内部に設けられている。また、マイナス側の集電体１２４の前方にも撥水層１３０が設けられ、この撥水層１３０も額縁状のガスケット１３１内部に設けられている。撥水層１２６，１３０としては、高分子フィルムを用いる。多くの高分子フィルムは撥水性であるが、水蒸気を透過させる必要があるため、材料によっては厚さの調整が必要であり、水を透過せずに水蒸気を透過させる性質としては、ＰＴＥフィルムや撥水性の樹脂を用いた不織布などが好ましい。
【００３８】
撥水層１２６の後方には、シート状の給水体１２８が配されている。給水体１２８は不織布であり、合成樹脂繊維より形成されている。この合成樹脂繊維の材質としては、例えば、減酸素装置１００の稼働時の温度以上のガラス転移温度を持ったポリプロピレンを用いる。
【００３９】
上記のようにして順番に積層した部材を、前後一対の固定部材１３２と固定部材１３４によって挟持して固定する。アノード層１１８側に配される後方の固定部材１３２は直方体形状を成し、下部に断面長方形の排気口１３６を有する。この排気口１３６は、図１２に示すように、前後方向に貫通し、ユニットケース１０２の排気口１３７の位置に対応している。一方、カソード層１２０側に取り付ける前方の固定部材１３４も直方体形状を成し、中央部に吸気口１３８を有する。この吸気口１３８は、縦型のスリット状であり、また、ユニットケース１０２の開口部１３５、支持板４８の挿入口５０の位置に対応する。
【００４０】
以上の部材により、減酸素ユニット１０６が構成されている。固定部材１３２と固定部材１３４とは、不図示の数本のネジによって固定されている。
【００４１】
固定部材１３２と固定部材１３４の前後方向の厚さは例えば１０ｍｍであり、給水体１２８の厚みは例えば０．２ｍｍ、撥水層１２６と撥水層１３０の厚みは例えば０．２ｍｍ、ガスケット１２７とガスケット１３１の厚みはそれぞれ例えば０．２ｍｍ、アノード層１１８の厚みは例えば０．２５ｍｍ、電解質膜１１６の厚みが例えば０．２ｍｍ、カソード層１２０の厚みが例えば０．２５ｍｍ、絶縁体１２６の厚みが例えば０．７ｍｍ、集電体１２２と集電体１２４の厚みはそれぞれ例えば０．５ｍｍである。
【００４２】
（６）給水装置１０４
次に、給水装置１０４について、図１１〜図１３に基づいて説明する。
【００４３】
給水装置１０４は、給水本体１４０を有し、この給水本体１４０は、横長の直方体の箱体である。給水本体１４０は、その内部において区画壁１４２によって上下に区画され、上部が浄水区画１４４、下部が吸い上げ区画１４６を構成している。給水本体１４０の左端部上面、すなわち浄水区画１４４の上面には、給水パイプ１４８が接続されている。この給水パイプ１４８は、不図示のポンプによって冷蔵庫１０の蒸発器から発生した除霜水が送り込まれる。
【００４４】
浄水区画壁１４２は、図１３に示すように給水パイプ１４８が接続されている部分から下方に向かって傾斜し、右端部において吸い上げ区画１４６に通じる給水孔１５０が形成されている。浄水区画１４４内部には、イオン交換樹脂よりなる浄水部１５２が設けられている。この浄水部１５２を設けることにより、蒸発器から供給された除霜水の水質による影響を取り除くことができ、減酸素ユニット１０６の劣化を防止できる。すなわち、除霜水は、蒸発器に付着した霜であり、またドレンパンに集められているため、金属イオンが含まれている。そのため、給水体１２８を構成する合成樹脂繊維の加水分解を除霜する可能性があるため、この浄水部１５２を設けることにより、除霜水の水質による影響を取り除くことができる。
【００４５】
吸い上げ区画１４６は、給水孔１５０から供給された水を溜めるための貯水部１５４を有している。また、吸い上げ区画１４６の左端部には排水パイプ１５６が設けられている。この排水パイプ１５６と貯水部１５４との間には、仕切り壁１５８が設けられている。給水孔１５０から給水された除霜水は、貯水部１５４に溜まる。この貯水部１５４は中央が凹み、上記で説明した減酸素ユニット１０６の給水体１２８の下部が浸され、給水体１２８はこの溜まった水を吸い上げる。貯水部１５４の水の量が多くなり仕切り壁１５８を超えると、排水パイプ１５６から不図示の蒸発皿に水が排水される。なお、横長の直方体である給水本体１４０において、吸い上げ区画１４６は、浄水区画１４４よりも前方に突出し、この吸い上げ区画１４６の前方に突出した天井面から給水体１２８が突出している。
【００４６】
（７）減酸素室３０の組み立て方法
次に、減酸素室３０の組み立て方法について、図４〜図１０に基づいて説明する。
【００４７】
第１に、収納保持体３４の支持板４８に、減酸素装置１００を取り付ける。
【００４８】
第２に、図４及び図５に示すように、収納保持体３４を、９個の吊り下げ具９６を介して仕切り体２６にネジ止めする。給水パイプ１４８と排水パイプ１５６をそれぞれ所定の位置に接続する。これにより、図４及び図５に示すように、野菜室１６の左上部に、収納保持体３４が吊り下げられる。
【００４９】
第３に、図６に示すように、減酸素室３０を、野菜室１６の前方から収納保持体３４にスライドさせて挿入する。この場合に、減酸素室３０の左右両側面６６，６８に設けられている可動レール７６を、固定レール５６の上レール片５８と下レール片６０の間に差し込んでスライドさせる。可動レール７６の後部は前部よりも高さが小さく形成され、かつ、固定レール５６の上レール片５８と下レール片６０の前部の間隔が後部の間隔よりも大きく形成されているため、固定レール５６に可動レール７６を差込み易い。
【００５０】
第４に、図７及び図８に示すように、減酸素室３０を、収納保持体３４の支持板４８の位置まで差し込む。すると、減酸素室３０の突部７４が、支持板４８の開口部６２に嵌め込まれ位置決めされると共に固定される。この位置決めとは、前後方向及び左右方向の両方である。また、収納保持体３４に設けられている減酸素装置１００のユニットケース１０２の前部が、減酸素室３０の背面に設けられている挿入口５０に挿入される。図７及び図８に示すように、右保持面４４における上レール片５８と下レール片６０の間に３個のネジ孔９８が設けられ、また、それに対応した突条の可動レール７６の位置にも３個のネジ孔９９が設けられている。そのため、ネジ９７を用いて、ネジ孔９８からネジ孔９９にネジ９７を螺合して、収納保持体３４に減酸素室３０をネジ止めする。これによって、減酸素室３０が、収納保持体３４に対し前後方向及び左右方向にも固定される。また、支持板４８の下端から延びている支持片５２の先端の支持爪５４が、減酸素室３０の下面７０の後部に設けられている係合突部９４に係合し、前後方向への移動が規制される。
【００５１】
第５に、図９に示すように、開口した減酸素室３０の前面に、減酸素容器３６を差し込む。この場合に、減酸素室３０の左右両側面６６，６８の内面に設けられた第２固定レール９０に減酸素容器３６の両側面に設けられているローラ９２を係合させて後方にスライドさせる。
【００５２】
第６に、図１０に示すように、扉３８を閉めるとガスケット３９により、減酸素室３０内部は密閉される。また、減酸素容器３６を後方にスライドさせると、扉３８の両側部から後方に突出した係合片８６が、弾性保持片８２の先端部にある固定部８４を超えて係合し、扉３８は、閉めた状態で完全に固定される。なお、この弾性保持片８２は上下方向に弾性移動が可能であるため、ユーザが扉３８を前方に引っ張ると、扉３８は前方にスライドする。以上のようにして、減酸素室３０を組み立てることができる。
【００５３】
（８）減酸素装置１００の動作状態
次に、減酸素装置１００の動作状態について、図１１〜図１４に基づいて説明する。
【００５４】
まず、減酸素容器３６内部に野菜を収納し、減酸素容器３６を後方にスライドさせて扉３８を閉めると、減酸素室３０が密閉状態となる。
【００５５】
次に、蒸発器で発生した除霜水を給水パイプ１４８を介して給水装置１０４に供給する。供給された除霜水は、図１３に示すように、給水装置１０４内部の浄水区画１４４を通して浄水され、給水孔１５０を通って吸い上げ区画１４６における貯水部１５４に至る。
【００５６】
次に、貯水部１５４に溜まった水は、給水体１２８が吸い上げる。
【００５７】
次に、減酸素容器３６に収納された野菜などの食品が呼吸を行なって二酸化炭素を排出する。すると、不図示のセンサがその二酸化炭素を検出し、集電体１２２，１２４に通電を開始する。
【００５８】
次に、図１２に示すように、減酸素容器３６の空気が、減酸素室３０の挿入口５０、ユニットケース１０２の開口部１３５、固定部材１３４の吸気口１３８を経て供給され、集電体１２２，１２４が通電されているので、流入した空気から減酸素が行われ、減酸素室３０がＣＡ貯蔵室となる。アノード層１１８とカソード層１２０では次のような反応が行なわれる。
【００５９】
アノード層・・・２Ｈ２Ｏ→Ｏ２＋Ｈ＋＋４ｅ−
カソード層・・・Ｏ２＋Ｈ＋＋４ｅ−→２Ｈ２Ｏ
この反応式を説明すると、給水体１２８から撥水層１２６を通過した水蒸気をアノード層１１８で電気分解して水素イオンを作り、その水素イオンが電解質膜１１６内を移動してカソード層１２０に到達し、減酸素室３０内部の酸素と反応して水を生成し、酸素を消費する。これにより、減酸素容器３６内部において減酸素が行われ、野菜などの食品をＣＡ貯蔵できる。
【００６０】
次に、図１２、図１４に示すように、減酸素ユニット１０６のアノード層１１８で発生した酸素が、まず固定部材１３２の排気口１３６、ユニットケース１０２の排気口１３７を通過し拡散される。
【００６１】
（９）効果
以上により本実施形態によれば、減酸素室３０を野菜室１６に取り付ける場合に、作業者が前方から収納保持体３４に対し減酸素室３０をスライドさせるだけで組み付けを行なうことができる。
【００６２】
また、減酸素室３０を収納保持体３４に対しスライドさせる場合に、収納保持体３４の固定レール５６に沿って、減酸素室３０の可動レール７６を移動させるだけであるため、簡単に組み付けを行なうことができる。
【００６３】
また、仕切り体２６に収納保持体３４を固定し、その後に減酸素室３０を取り付けるため、作業性が向上する。
【００６４】
また、減酸素室３０は、仕切り体２６に吊り下げられた収納保持体３４に取り付けるため、減酸素室３０を野菜室１６の上部に簡単に取り付けることができる。
【００６５】
また、収納保持体３４は、減酸素室３０の両側面を掴むように保持するため、減酸素室３０を安定良く吊り下げることができる。
【００６６】
また、固定レール５６の上レール片５８と下レール片６０の間に可動レール７６をスライドさせるため、そのスライドするときの作業を簡単に行なうことができる。
【００６７】
また、可動レール７６の前部の高さ寸法が、後部の高さ寸法より大きいため、可動レール７６を固定レール５６に挿入し易い。
【００６８】
また、固定レール５６における上レール片５８と下レール片６０の上下方向の間隔が、前部の方が後部より大きいため、可動レール７６を差込み易いと共に、減酸素室３０を奥に差し込むほど、位置決めを完全に行なうことができる。
【００６９】
また、収納保持体３４の支持板４８の開口部６２に、減酸素室３０の後部から突出した突部７４を嵌合させることにより、上下方向及び左右方向の位置決めを行なうことができる。
【００７０】
また、収納保持体３４の支持板４８の下端から前方に突出した支持爪５４に、減酸素室３０の下面から突出した係止突部９４を係合させることにより、減酸素室３０が組み付け後に前方にスライドすることがない。また、この係止突部９４は、減酸素室３０の補強用のリブの役目も行なう。
【００７１】
また、減酸素室３０と収納保持体３４とは、ネジ９７によってネジ止めされているため、完全に固定を行なうことができる。この場合に、減酸素室３０のネジ孔９８が突条の可動レール７６に設けられているため、この可動レール７６の厚みが、ネジ９７のボスの役割を行なう。
【００７２】
また、減酸素室３０が、野菜室１６の上部左側に片寄った位置に取り付けられ、この右側面のみネジ９７によってネジ止めするため、ネジ止め作業が行い易い。
【００７３】
また、減酸素室３０が野菜室１６の上部左側に設けられているため、野菜室容器２８の右側における高さの寸法を大きく取ることができ、背の高いペットボトル３２などを収納できる。
【００７４】
また、減酸素室３０の扉３８は、減酸素容器３６と一体に設けられているため、扉３８を前方に引き出すと減酸素容器３６も扉３８と共に引き出すことができる。
【００７５】
また、減酸素室３０は密閉され、その背面に減酸素装置１００が設けられているため、密閉された減酸素室３０内部は減酸素状態となり、野菜などの食品の鮮度が落ちることなく収納できる。
【００７６】
また、減酸素室３０を収納保持体３４にスライドして取り付けると、収納保持体３４に設けられている減酸素装置１００のユニットケース１０２の前部が、減酸素室３０の背面に設けられている挿入口５０に挿入される。これにより、減酸素室３０を収納保持体３４に取り付けるだけで、減酸素室３０に減酸素装置１００を取り付けることができる。
【００７７】
また、減酸素装置１００において、減酸素ユニット１０６を収納したユニットケース１０２の下方に給水装置１０４を設け、この給水装置１０４に浄水部１５２が内蔵されているため、減酸素装置１００をコンパクトにできる。
【００７８】
また、ユニットケース１０２と給水装置１０４が独立しているため、減酸素ユニット１０６が故障したときはユニットケース１０２のみを交換し、浄水部１５２を取り替える場合には、給水装置１０４を取り替えるだけでよい。
【００７９】
また、減酸素装置１００の給水装置１０４において、浄水区画１４４と吸い上げ区画１４６とを仕切る区画壁１４２が、図１３に示すように左側から右側に向かって下方に傾斜しているため、除霜水が浄水部１５２に向かって流れ易く、また、浄水部１５２内部においても、給水孔１５０に向かって流れ易い。
【００８０】
また、吸い上げ区画１４６の貯水部１５４の底面は、凹んだ状態となっているため、除霜水を溜め易く、その部分に給水体１２８を浸し易い。
【００８１】
また、収納保持体３４に減酸素室３０を取り付けた後であっても、ネジ９７を外し、支持爪５４とリブを兼ねた係止突部９４との係合を解除すると、減酸素室３０を前方にスライドさせて取り外すことができる。
【００８２】
また、扉３８の後側にガスケット３９が設けられているため、扉３８を閉めると減酸素室３０内部が密閉される。
【００８３】
また、扉３８を閉めた場合には、上下一対の弾性保持片８２の先端に設けられた固定部８４が扉３８の矢印型の係合片８６と係合するため、ガスケット３９による密閉状態を保持できる。
【００８４】
また、ユーザが扉３８を前方に引き出すと、弾性保持片８２が上下に移動し、固定部８４と矢印型の係合片８６の係合を簡単に解除できる。
【００８５】
また、収納保持体３４が複数の吊り下げ具９６によって仕切り体２６に吊り下げられ、減酸素室３０は、収納保持体３４によって両側から掴むように吊り下げられているため、減酸素室３０内部に野菜などの重い食品を収納できる。
【００８６】
（１０）変更例
上記実施形態では、減酸素室３０のリブとして係止突部９４のみを設けたが、必要に応じて突条のリブを減酸素室３０の壁面に複数個設けてもよい。
【００８７】
また、減酸素室３０は、野菜室１６の左側に設けたが、これに限らず右側に設けてもよく、また、中央部分に設けてもよい。減酸素室３０を野菜室１６の上部中央に設けた場合には、収納保持体３４と減酸素室３０は、両側面からネジ９７によってネジ止めしてもよい。また、減酸素室３０を野菜室１６の上部右側に設けた場合には、収納保持体３４と減酸素室３０の左側の面のみネジ９７によってネジ止めする。
【００８８】
また、上記実施形態では、収納保持体３４の左保持面４２と右保持面４４で、減酸素室３０の左右両側面６６，６８を掴むように固定したが、これに限らず、例えば、野菜室１６の左内壁面に左側の固定レール５６を設け、収納保持体３４の右保持面４４に右側の固定レール５６を設けて、野菜室１６の左内壁面と収納保持体３４の右保持面４４とで減酸素室３０を吊り下げてもよい。この場合には収納保持体３４は、減酸素室３０を片持ち状態とする。また、減酸素室３０を野菜室１６の右側に設ける場合も同様に収納保持体３４で左側のみ片持ちしてもよい。
【００８９】
また、上記実施形態では、減酸素室３０を収納保持体３４に吊り下げるように固定したが、これに限らず、野菜室１６の左右両内壁面に左右一対の固定レール５６，５６を設け、野菜室１６自体に減酸素室３０を差し込んでスライドさせて組み付ける構造であってもよい。
【００９０】
また、上記実施形態では、収納保持体３４は仕切り体２６に吊り下げ具９６で吊り下げたが、収納保持体３４を野菜室１６の両左右内壁面にネジ止めで固定してもよい。
【００９１】
また、上記実施形態では、減酸素室３０の後部から突出した突部７４は、支持板４８に設けられている開口部６２に係合したが、開口部６２に限らず支持板４８に設けられた凹部に突部７４が係合してもよい。
【００９２】
また、上記実施形態では、野菜室１６内部に設ける減酸素室３０で説明したが、これに限らず野菜室１６内部に設ける減酸素室以外の通常の収納室にその取り付け構造を適用してもよい。
【００９３】
また、上記実施形態では、野菜室１６内部に設ける減酸素室３０で説明したが、野菜室１６に限らず、冷蔵室１４、冷凍室２０などの他の貯蔵室において、その内部に収納室を設ける場合にも、本実施形態の取り付け構造を適用してもよい。
【００９４】
また、上記実施形態では、減酸素室３０内部の減酸素を行なう装置として、高分子電解質膜方法を適用したが、これに代えて、真空ポンプを用いて減酸素を行なってもよい。
【００９５】
（１１）その他
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると共に、特許請求の範囲に記載された発明とその均等の範囲に含まれる。
【符号の説明】
【００９６】
１０・・・冷蔵庫、１２・・・キャビネット、１６・・・野菜室、２６・・・仕切り体、３０・・・減酸素室、３４・・・収納保持体、３６・・・減酸素容器、４０・・・水平板、４２・・・左保持面、４４・・・右保持面、４６・・・後保持面、４８・・・支持板、５２・・・支持片、５４・・・支持爪、５６・・・固定レール、５８・・・上レール片、６０・・・下レール片、６２・・・開口部、７６・・・可動レール、１００・・・減酸素装置
【図１】
2014081158.tif 000003
【図２】
2014081158.tif 000004
【図３】
2014081158.tif 000005
【図４】
2014081158.tif 000006
【図５】
2014081158.tif 000007
【図６】
2014081158.tif 000008
【図７】
2014081158.tif 000009
【図８】
2014081158.tif 000010
【図９】
2014081158.tif 000011
【図１０】
2014081158.tif 000012
【図１１】
2014081158.tif 000013
【図１２】
2014081158.tif 000014
【図１３】
2014081158.tif 000015
【図１４】
2014081158.tif 000016